(57)【特許請求の範囲】
【請求項１】
ボディ、及びこのボディに連結されたカバーとからなり、前記ボディが、正極用の電源供給側電線挿入孔及び正極用の電源送り側電線挿入孔、負極用の電源供給側電線挿入孔及び負極用の電源送り側電線挿入孔、アース供給用の電線挿入孔及びアース送り用の電線挿入孔が夫々開けられた壁部を有するとともに、かつ、前記カバー方向に突出する端子当接突起及び係合突起が裏面に夫々設けられた端子押し部をアーム部の先端に有して前記壁部に一体に形成され、前記アーム部がその根元を支点に弾性変形可能である一対の電源線解除レバー、及びアーム部の先端に端子押し部を有して前記壁部に一体に形成された一対のアース線解除レバーを有しており、前記カバーが、前記係合突起に対向するガイド部を有しているとともに、このガイド部の先端部に、前記電源線解除レバーの端子押し部が押し込まれた際に前記電源線解除レバーのアーム部とは反対側から前記係合突起に係合して前記端子押し部が前記アーム部の先端部を支点に変形することを防止する斜めのガイド面が形成されている筐体と、
一対の電線受け部及びこれら電線受け部に対向して斜めに配置された弾性変形可能な一対の鎖錠片を有し、前記電線受け部に近接した前記鎖錠片の先端部を正極用の前記両電線挿入孔に個別に対向させるとともに、前記鎖錠片の基端と先端部との間の中間部上に正極用の前記電源線解除レバーの端子当接突起を位置させて、前記筐体に内蔵された正極用速結端子と、
一対の電線受け部及びこれら電線受け部に対向して斜めに配置された弾性変形可能な一対の鎖錠片を有し、前記電線受け部に近接した前記鎖錠片の先端部を負極用の前記両電線挿入孔に個別に対向させるとともに、前記鎖錠片の基端と先端部との間の中間部上に負極用の前記電源線解除レバーの端子当接突起を位置させて、前記筐体に内蔵された負極用速結端子と、
一対の電線受け部及びこれら電線受け部に対向して斜めに配置された弾性変形可能な一対の鎖錠片を有し、前記電線受け部に近接した前記鎖錠片の先端部をアース用の前記両電線挿入孔に個別に対向させるとともに、前記鎖錠片の基端と先端部との間の中間部上にアース線解除レバーの端子押し部を位置させて、前記筐体に内蔵されたアース用速結端子と、
を具備したことを特徴とする電源端子台。
【請求項２】
正極用の電源供給側電線挿入孔及び正極用の電源送り側電線挿入孔、負極用の電源供給側電線挿入孔及び負極用の電源送り側電線挿入孔、アース供給用の電線挿入孔及びアース送り用の電線挿入孔が夫々開けられた壁部を有し、この壁部に、端子接離面及び係合突起が裏面に形成された端子押し部をアーム部の先端に有しかつ前記アーム部がその根元を支点に弾性変形可能である一対の電源線解除レバーが一体に形成されているとともに、端子接離面が裏面に形成された端子押し部をアーム部の先端に有した一対のアース線解除レバーが一体に形成されたボディ、及びこのボディに連結されたカバーとからなる筐体と、
基板部から折り曲げられた一対の電線受け部及びこれら電線受け部に対向して斜めに配置された弾性変形可能な一対の鎖錠片を有し、前記電線受け部に近接した前記鎖錠片の先端部を正極用の前記両電線挿入孔に個別に対向させるとともに、前記鎖錠片の基端と先端部との間の中間部上に正極用の前記電源線解除レバーの端子押し部を位置させて、前記筐体に内蔵された正極用速結端子と、
基板部から折り曲げられた一対の電線受け部及びこれら電線受け部に対向して斜めに配置された弾性変形可能な一対の鎖錠片を有し、前記電線受け部に近接した前記鎖錠片の先端部を負極用の前記両電線挿入孔に個別に対向させるとともに、前記鎖錠片の基端と先端部との間の中間部上に負極用の前記電源線解除レバーの端子押し部を位置させて、前記筐体に内蔵された負極用速結端子と、
基板部から折り曲げられた一対の電線受け部及びこれら電線受け部に対向して斜めに配置された弾性変形可能な一対の鎖錠片を有し、前記電線受け部に近接した前記鎖錠片の先端部をアース用の前記両電線挿入孔に個別に対向させるとともに、前記鎖錠片の基端と先端部との間の中間部上にアース線解除レバーの端子押し部を位置させて、前記筐体に内蔵されたアース用速結端子と、
を具備し、
前記正極用及び負極用の速結端子のうちの少なくとも一方の基板部の前記壁部側及び前記アース用速結端子の基板の前記壁部側に、それらに対向する前記端子押し部の端子接離面が接離されるレバー支持部を設け、
前記カバーに前記係合突起に対向するガイド部を設けるとともに、このガイド部の先端部に、前記電源線解除レバーの端子押し部が押し込まれた際に前記電源線解除レバーのアーム部とは反対側から前記係合突起に係合して前記端子押し部が前記アーム部の先端部を支点に変形することを防止する斜めのガイド面を形成したことを特徴とする電源端子台。
【請求項３】
前記アース線用速結端子の鎖錠片の裏面に対向する鎖錠片ストッパを前記カバーの裏面に突設したことを特徴とする請求項１又は２に記載の電源端子台。
【請求項４】
電源線引込み孔を有するシャーシと、
このシャーシに固定された前記請求項１〜３のうちのいずれかに記載の電源端子台と、
この電源端子台と電気的に接続されて前記シャーシに取付けられたランプソケットと、
このランプソケットに取付けられたランプと、
を具備したことを特徴とする照明器具。
【発明の詳細な説明】
【０００１】
【発明の属する技術分野】
本発明は、電源線と器具内配線との中継をなす電源端子台、及びこの端子台を備える蛍光灯照明器具等の照明器具に関する。
【０００２】
【従来の技術】
電源端子台は、合成樹脂製の筐体内に、電源の正極及び負極用の一対の速結端子を内蔵するとともに、アース用の速結端子を内蔵している。筐体のボディには各速結端子に個別に対応して電線挿入孔が開けられていて、これらの挿入孔に挿入された電線の芯線は、その挿入箇所に対応する各速結端子の電線受け部とこれに斜めに対向する弾性変形可能な鎖錠片とで挟持されることにより、対応する速結端子に接続されるようになっている。
【０００３】
そして、電源端子台には以上のように接続された電線を必要に応じて引き外すための解除手段が設けられている。この解除手段の中でも、各電線挿入孔が開けられたボディの壁部に、これと一体に形成されてねじ回し等の工具で押し込むことにより弾性変形できる解除レバーを設けたものが知られている。この種のものは部品点数が少なく構成が簡単である点などにおいて優れている。
【０００４】
この解除レバーは、互いに背向して一直線上にあるように設けられて、その自由端部からなる端子押し部の上下両面には、速結端子の鎖錠片を押す端子当接突起と解除レバーの幅方向に湾曲する押し込み工具受け凸部とが夫々形成されている。
【０００５】
ところで、従来の速結端子の鎖錠片は、電線受け部に対して斜めに設けられる弾性変形可能な鎖錠片主部とこの主部の先端から鎖錠片の長手方向に突出され容易に変形しないレバー受け凸部とから形成されているので、電線解除の際には鎖錠片の自由端部であるレバー受け凸部を解除レバーの端子当接突起で押して、鎖錠片を弾性変形させるようになっている。しかし、この構成では、前記ボディに一体に形成された解除レバーに必要とされる解除ストロークが大きいという不便があり、それに伴い解除レバーに掛かる応力が大きく、よって、解除操作に伴って解除レバーが過度に変形し易く破損するおそれが高い。
【０００６】
そこで、このような不具合を解消するために本発明者は、速結端子の斜めの鎖錠片が前記レバー受け凸部を有しない構成とするとともに、この鎖錠片の長手方向中間部を解除レバーから一体に突設した端子当接突起で押すことにより、電線の解除ができる電源端子台を開発したが、未だ改善すべき余地があることが分かった。
【０００７】
すなわち、この構成では、合成樹脂製のボディに一体に形成された解除レバーの端子押し部の裏面に突設した端子当接突起を、速結端子の斜めの鎖錠片に当てて、この鎖錠片を弾性変形させるため、鎖錠片の押し込みが進行するに従い前記端子当接突起がその根元を中心に鎖錠片の傾斜に倣うように弾性変形する。この変形により、解除レバーの押し込み操作力を的確に鎖錠片に及ぼしずらくなるとともに、前記押し込み操作力がばらついて不足気味となる。そのため、場合によっては、解除レバーが無理矢理に押し込み操作されて変形・破損に至る恐れが考えられる。
【０００８】
一方、前記のように斜めの鎖錠片の長手方向中間部を解除レバーで押して電線解除をする構成には制約されないが、一般的に、速結端子の鎖錠片が過度に押し込まれてへたらないようにするために、従来の電源端子では、鎖錠片の裏側に所定の距離を置いて対向するストッパ凸部をボディに連結された合成樹脂製のカバーに一体に設けて、このストッパ凸部により鎖錠片の弾性変形を制限している。
【０００９】
しかし、速結端子及びカバーのストッパ凸部の寸法のばらつきは避けられないので、それに応じて電線解除の際に必要とされる解除レバーの押し込み量、すなわち、押し込み操作力がばらつくという問題がある。
【００１０】
【発明が解決しようとする課題】
本発明が解決しようとする課題は、ボディと一体に形成された解除レバーの押し込み操作力のばらつきを少なくできる電源端子台及びこの電源端子台を備えた照明器具を得ることにある。
【００１１】
【課題を解決するための手段】
前記課題を解決するために、請求項１に係る発明の電源端子台は、ボディ、及びこのボディに連結されたカバーとからなり、前記ボディが、正極用の電源供給側電線挿入孔及び正極用の電源送り側電線挿入孔、負極用の電源供給側電線挿入孔及び負極用の電源送り側電線挿入孔、アース供給用の電線挿入孔及びアース送り用の電線挿入孔が夫々開けられた壁部を有するとともに、かつ、前記カバー方向に突出する端子当接突起及び係合突起が裏面に夫々設けられた端子押し部をアーム部の先端に有して前記壁部に一体に形成され、前記アーム部がその根元を支点に弾性変形可能である一対の電源線解除レバー、及びアーム部の先端に端子押し部を有して前記壁部に一体に形成された一対のアース線解除レバーを有しており、前記カバーが、前記係合突起に対向するガイド部を有しているとともに、このガイド部の先端部に、前記電源線解除レバーの端子押し部が押し込まれた際に前記電源線解除レバーのアーム部とは反対側から前記係合突起に係合して前記端子押し部が前記アーム部の先端部を支点に変形することを防止する斜めのガイド面が形成されている筐体と、一対の電線受け部及びこれら電線受け部に対向して斜めに配置された弾性変形可能な一対の鎖錠片を有し、前記電線受け部に近接した前記鎖錠片の先端部を正極用の前記両電線挿入孔に個別に対向させるとともに、前記鎖錠片の基端と先端部との間の中間部上に正極用の前記電源線解除レバーの端子当接突起を位置させて、前記筐体に内蔵された正極用速結端子と、一対の電線受け部及びこれら電線受け部に対向して斜めに配置された弾性変形可能な一対の鎖錠片を有し、前記電線受け部に近接した前記鎖錠片の先端部を負極用の前記両電線挿入孔に個別に対向させるとともに、前記鎖錠片の基端と先端部との間の中間部上に負極用の前記電源線解除レバーの端子当接突起を位置させて、前記筐体に内蔵された負極用速結端子と、一対の電線受け部及びこれら電線受け部に対向して斜めに配置された弾性変形可能な一対の鎖錠片を有し、前記電線受け部に近接した前記鎖錠片の先端部をアース用の前記両電線挿入孔に個別に対向させるとともに、前記鎖錠片の基端と先端部との間の中間部上にアース線解除レバーの端子押し部を位置させて、前記筐体に内蔵されたアース用速結端子と、を具備したことを特徴とする。
【００１２】
この発明及び以下の各発明において、筐体をなすボディ及びカバーは、いずれも電気絶縁材料、例えば合成樹脂、好ましくはナイロン等により形成される。又、この発明及び以下の各発明において、各速結端子は、いずれも導電性材料、例えば金属、好ましくは燐青銅板のようにばね性を有する銅合金等により形成されるとともに、差し込んで接続された電線の引き抜きを妨げない丸まった自由端部を有して、これと電線受け部との間で電線の芯線を挟んで主として電気的接続を担う他の鎖錠片が付加されていてもよく、又、電線受け部を有した部分と鎖錠片を有した部分とは、一体であっても、別に形成されたものであってもよく、別成形の場合には両者をリベット止めや溶接止め等により連結することが好ましい。又、この発明及び以下の各発明において、電源用及びアース用の各一対の解除レバーは、互いに背向して一直線状にあるように設けてもよい。
【００１３】
この請求項１の発明においては、速結端子の電線受け部と斜状の鎖錠片の先端との間に挟持された電線を外す際には、ボディに一体に形成された解除レバーの端子押し部がねじ回し等の押し込み工具で押されて、解除レバーがそのアーム部の根元を支点に押し込まれる。それに伴い端子押し部の端子当接突起が、それに対向する速結端子の鎖錠片の長手方向中間部を押して、鎖錠片を弾性変形させてその先端部を電線受け部から遠ざけるので、この鎖錠片と電線受け部との間での電線の拘束を解除でき、電線の引き抜きが可能となる。
【００１４】
このように鎖錠片の長手方向中間部をボディに一体に形成された解除レバーの端子押し部で押すから、鎖錠片の先端部を押して電線解除をする場合よりも、電線解除を行うのに必要とされる解除レバーの解除ストロークを小さくできる。
【００１５】
そして、電源線解除レバーを押し込んで電源線用の速結端子に接続された電源線を既述のように外す場合には、以上のように電源線解除レバーが押し込まれるに伴い、正負両極の速結端子の鎖錠片に跨っていてこれらに端子当接突起を接している電源線解除レバーの端子押し部が、その根元を支点として前記正負両極の速結端子の鎖錠片の傾斜に倣うように変形しようとする。しかし、このような変形に伴い端子押し部の係合突起が、電源線解除レバーのアーム部とは反対側においてカバーのガイド部に係合するから、このガイド部のストッパ作用により端子押し部の前記変形を防止しつつ、電源線の前記解除動作を行わせることができる。したがって、端子押し部がアーム部の先端部を支点に変形することによる電源線解除レバーの押込み操作力の損失がなくなり、この押込み操作力のばらつきを少なくでき、それにより、必要以上に押込まなくても電源線を解除できるとともに端子押し部の過度の変形に伴う破損も防止できる。
【００１６】
又、前記課題を解決するために、請求項２に係る発明の電源端子台は、正極用の電源供給側電線挿入孔及び正極用の電源送り側電線挿入孔、負極用の電源供給側電線挿入孔及び負極用の電源送り側電線挿入孔、アース供給用の電線挿入孔及びアース送り用の電線挿入孔が夫々開けられた壁部を有し、この壁部に、端子接離面及び係合突起が裏面に形成された端子押し部をアーム部の先端に有しかつ前記アーム部がその根元を支点に弾性変形可能である一対の電源線解除レバーが一体に形成されているとともに、端子接離面が裏面に形成された端子押し部をアーム部の先端に有した一対のアース線解除レバーが一体に形成されたボディ、及びこのボディに連結されたカバーとからなる筐体と、基板部から折り曲げられた一対の電線受け部及びこれら電線受け部に対向して斜めに配置された弾性変形可能な一対の鎖錠片を有し、前記電線受け部に近接した前記鎖錠片の先端部を正極用の前記両電線挿入孔に個別に対向させるとともに、前記鎖錠片の基端と先端部との間の中間部上に正極用の前記電源線解除レバーの端子押し部を位置させて、前記筐体に内蔵された正極用速結端子と、基板部から折り曲げられた一対の電線受け部及びこれら電線受け部に対向して斜めに配置された弾性変形可能な一対の鎖錠片を有し、前記電線受け部に近接した前記鎖錠片の先端部を負極用の前記両電線挿入孔に個別に対向させるとともに、前記鎖錠片の基端と先端部との間の中間部上に負極用の前記電源線解除レバーの端子押し部を位置させて、前記筐体に内蔵された負極用速結端子と、基板部から折り曲げられた一対の電線受け部及びこれら電線受け部に対向して斜めに配置された弾性変形可能な一対の鎖錠片を有し、前記電線受け部に近接した前記鎖錠片の先端部をアース用の前記両電線挿入孔に個別に対向させるとともに、前記鎖錠片の基端と先端部との間の中間部上にアース線解除レバーの端子押し部を位置させて、前記筐体に内蔵されたアース用速結端子と、を具備し、前記正極用及び負極用の速結端子のうちの少なくとも一方の基板部の前記壁部側及び前記アース用速結端子の基板の前記壁部側に、それらに対向する前記端子押し部の端子接離面が接離されるレバー支持部を設け、前記カバーに前記係合突起に対向するガイド部を設けるとともに、このガイド部の先端部に、前記電源線解除レバーの端子押し部が押し込まれた際に前記電源線解除レバーのアーム部とは反対側から前記係合突起に係合して前記端子押し部が前記アーム部の先端部を支点に変形することを防止する斜めのガイド面を形成したことを特徴とする。
【００１７】
この請求項２の発明においても、速結端子の電線受け部と斜状の鎖錠片の先端との間に挟持された電線を外す際には、ボディに一体に形成された解除レバーの端子押し部がねじ回し等の押し込み工具で押されて、解除レバーがそのアーム部の根元を支点に押し込まれる。それに伴い端子押し部が、それに対向する速結端子の鎖錠片の長手方向中間部を押して、鎖錠片を弾性変形させてその先端部を電線受け部から遠ざけるので、この鎖錠片と電線受け部との間での電線の拘束を解除でき、電線の引き抜きが可能となる。
【００１８】
このように鎖錠片の長手方向中間部をボディに一体に形成された解除レバーの端子押し部で押すから、鎖錠片の先端部を押して電線解除をする場合よりも、電線解除を行うのに必要とされる解除レバーの解除ストロークを小さくできる。
【００１９】
そして、電源線解除レバーを押し込んで電源線用速結端子に接続された電源線を既述のように引き外す場合には、電源線を引き外すのに十分な程度まで電源線解除レバーが押し込まれると、その直後に電源線解除レバーの端子押し部の端子接離面が電源線用速結端子の基板部のレバー支持部に当って、それ以上の押し込みが前記電源線用速結端子によって妨げられる。同様に、アース線解除レバーを押し込んでアース線用速結端子に接続されたアース線を既述のように引き外す場合にも、アース線を引き外すのに十分な程度までアース線解除レバーが押し込まれると、その直後にアース線解除レバーの端子押し部の端子接離面がアース用速結端子の基板部のレバー支持部に当って、それ以上の押し込みが前記アース用速結端子によって妨げられる。したがって、各解除レバーの押し込みストロークを、そのレバーの端子押し部の鎖錠片への当接箇所と端子接離面との間の高さ寸法に規定して、これら解除レバーの押し込み操作力のばらつきを少なくできる。
更に、電源線を外す場合に、電源線解除の端子押し部は、電源線解除レバーが押し込まれるに伴いその根元を支点として前記正負両極の速結端子の鎖錠片の傾斜に倣うように変形しようとする。しかし、このような変形に伴い端子押し部の係合突起が、電源線解除レバーのアーム部とは反対側においてカバーのガイド部に係合するから、このガイド部のストッパ作用により端子押し部の前記変形を防止しつつ、電源線の前記解除動作を行わせることができる。したがって、端子押し部がアーム部の先端部を支点に変形することによる電源線解除レバーの押込み操作力の損失がなくなり、この押込み操作力のばらつきを少なくでき、それにより、必要以上に押込まなくても電源線を解除できるとともに端子押し部の過度の変形に伴う破損も防止できる。
【００２０】
請求項３に係る発明の電源端子台は、前記アース線用速結端子の鎖錠片の裏面に対向する鎖錠片ストッパを前記カバーの裏面に突設したことを特徴とする。
【００２１】
この発明によれば、アース線解除レバーを押し込んでアース線用速結端子の鎖錠片をその裏側方向に弾性変形させて、アース線解除をする場合に、この解除に必要なだけ前記鎖錠片が弾性変形された直後に、前記鎖錠片が鎖錠片ストッパに当接するから、それ以上の過度のアース線解除レバーの押し込みを防止できる。
【００２２】
請求項４に係る発明の照明器具は、電源線引込み孔を有するシャーシと、このシャーシに固定された前記請求項１〜３のうちのいずれかに記載の電源端子台と、この電源端子台と電気的に接続されて前記シャーシに取付けられたランプソケットと、このランプソケットに取付けられたランプと、を具備したことを特徴とする。
【００２３】
請求項４の発明によれば、ボディと一体に形成された解除レバーの押し込み操作力のばらつきを少なくできる電源端子台、又は過度のアース線解除レバーの押し込を防止できる電源端子台を備えるので、高品質な照明器具を提供できる。
【００２４】
【発明の実施の形態】
以下、図１〜図１４を参照して本発明の一実施形態を説明する。
【００２５】
図１中１１は天井側に例えば埋め込んで設置される蛍光灯照明器具を示し、この器具１１は、下面が開放されたシャーシ１２を備えている。このシャーシ１２の長手方向両端部に夫々一対のランプソケット１３が取付けられていて、シャーシの長手方向に対向するランプソケット１３にわたって直管形の蛍光ランプ１４が取付けられている。
【００２６】
シャーシ１２の天井壁１１ａの裏面には、両蛍光ランプ１４間に位置して電源端子台１５が取付けられているとともに、図示しないが例えば電子安定器からなる点灯装置等が取付けられている。電源端子台１５には天井壁１１ａに穿った電源線引込み孔１６を通って天井裏からシャーシ１２内に引込まれる図示しない電源線が接続される。更に、電源端子台１５は図示しない負荷線（器具内配線）を介して前記点灯装置に接続されるとともに、図示しない負荷線を介してシャーシ１２の長手方向一端側のランプソケット１３に接続される。又、前記点灯装置は図示しない更に他の負荷線を介してシャーシ１２の長手方向他端側のランプソケット１３に接続される。そして、これら電源端子台１５、点灯装置、及び各負荷線を覆う断面Ｖ形の中央反射板１７が、２本の蛍光ランプ１４間に位置して前記天井壁１１ａに取付けられている。
【００２７】
次に、図２〜図１４を参照して電源端子台１５について説明する。この電源端子台１５は、図２〜図７等に示されるナイロン樹脂製の筐体２１と、図１２及び図１４等に示されるようにばね性を有する一枚の燐青銅板を折り曲げて形成された電源線の正極及び負極用の一対の速結端子２２、２３と、図１３等に示されるようにばね性を有する一枚の燐青銅板を折り曲げて形成されたアース用の速結端子２４とを備えている。速結端子２２、２３は同一構造である。
【００２８】
筐体２１は、図８等に示されるボディ２５と、図９〜図１１等に示されてボディ２５に連結されるカバー２６とからなる。これらは、図２及び図３等に示すようにボディ２５の側壁外面に一体に突設した複数の爪２７を、カバー２６の側壁に対応して設けた爪受け孔２８に夫々引っ掛けることによって組立てられている。図９〜図１１等に示すようにカバー２６は一つのねじ通孔２９及び一対の位置決め凸部３０を有している。このカバー２６は、その位置決め凸部３０を前記天井壁１１ａに開けた図示しない一対の孔に挿入して位置決めした状態で、図示しない金属製ねじを、天井壁１１ａに開けた図示しない端子台取付け孔及びこれに対向するねじ通孔２９に通して締付けることにより、天井壁１１ａの裏面に前記ねじ１本で固定されている。なお、後述するが前記ねじは速結端子２４に螺合されるもので、このねじを介してシャーシ１２へのアースが取れるようになっている。
【００２９】
ボディ２５は、カバー２６が被着される面を開放した容器状をなし、その内部は、図８に示すように一体に形成された区画リブ３１により第１端子収容室３２と、第２端子収容室３３とに仕切られているとともに、第１端子収容室３２の一端部には他の仕切りリブ３４が一体に設けられている。
【００３０】
ボディ２５のカバー２６と反対側の壁部、つまり、電源端子台１５がシャーシ１２に固定された状態で下を向く壁部３５は、段差３６によって電源線挿入面部３５ａとアース線挿入面部３５ｂとに区分けされている。アース線挿入面部３５ｂは下側から見て電源線挿入面部３５ａよりもシャーシ１２側に低くなっており、それにより、手探りで両挿入面部３５ａ、３５ｂを識別できるようにしてある。
【００３１】
電源線挿入面部３５ａには、正極用の電源供給側電線挿入孔（以下、第１電源線挿入孔という。）４１と、同じく正極用の電源送り側電線挿入孔（以下、第１送り電源線挿入孔という。）４２とが夫々開けられているとともに、第１電源線挿入孔４１に並んで負極用の電源供給側電線挿入孔（以下、第２電源線挿入孔という。）４３と、同じく第１送り電源線挿入孔に４２に並んで負極用の電源送り側電線挿入孔（以下、第２送り電源線挿入孔という。）４４とが夫々開けられている。
【００３２】
更に、電源線挿入面部３５ａには、互いに隣接している第１、第２の電源線挿入孔４１、４３と、互いに隣接している第１、第２の送り電源線挿入孔４２、４４との間に位置して、一対の電源線解除レバー（以下解除レバーと略称する。）４５、４６が夫々一体に形成されている。これらレバー４５、４６は、同一の構成であり、いずれもアーム部４７と端子押し部４８とを有して形成されているとともに、互いに逆向きとなって点対称の配置に設けられている。アーム部４７の一端からなる根元は電源線挿入面部３５ａに一体に接続され、アーム部４７の他端は端子押し部４８の長手方向中央部に一体に接続されており、それにより、解除レバー４５、４６はいずれも平面視ほぼＴ字形状をなしている。
【００３３】
両解除レバー４５、４６は、そのアーム部４７の根元を支点として弾性変形が可能であり、この変形を許すための隙間ｇが、図３及び図８に示すように両解除レバー４５、４６の根元以外の周囲に沿って電源線挿入面部３５ａに設けられている。前記のように対称に設けられた両解除レバー４５、４６のアーム部４７は、図３及び図８に示すように互いに並んで平行に、しかも、斜めに設けられ、かつ、両解除レバー４５、４６の端子押し部４８も互いに平行に設けられている。端子押し部４８は後で詳述する正負両極用の速結端子２２、２３に跨る（図４参照）長さを有している。この端子押し部４８とこれを支持するアーム部４７とが一体につながった部分には、凹部からなる押し込み工具受け部４９が設けられている。
【００３４】
図４等に示すように両解除レバー４５、４６の端子押し部４８は、その長手方向両端部裏面に夫々前記カバー２６方向に突出する端子当接突起４８ａを一体に有しているとともに、長手方向中央部にカバー２６方向に突出する係合突起４８ｂを一体に有している。係合突起４８ｂは、互いに並んで隣接配置される後述の速結端子２２、２３間に位置されるとともに、その突出長さは一対の端子当接突起４８ａよりも長い。したがって、端子押し部４８はほぼＴ字形状（図４参照）をなしている。係合突起４８ｂはその先端側程先細に形成されている。一方の端子当接突起４８ａと係合突起４８ｂとの間の凹状の裏面は、端子接離面４８ｃとして用いられている。
【００３５】
図２及び図３等に示すように前記アース線挿入面部３５ｂには、アース供給用の電線挿入孔５１とアース送り用の電線挿入孔５２とが夫々開けられているとともに、これら挿入孔５１、５２間に位置して一対のアース線解除レバー５３、５４（以下、解除レバーと略称する。）が一体に形成されている。
【００３６】
解除レバー５３、５４は、同一の構成であり、いずれもアーム部５５と端子押し部５６とを有して形成され、互いに逆向きとなって線対称の配置に設けられている。アーム部５５の一端からなる根元はアース線挿入面部３５ｂに一体に接続され、アーム部５５の他端は端子押し部５６と凸部５７とが繋がった部分に一体に接続されている。両解除レバー５３、５４は、そのアーム部５５の根元を支点として弾性変形が可能であり、この変形を許すための隙間ｇが、図３及び図８に示すように両解除レバー５３、５４の根元以外の周囲に沿ってアース線挿入面部３５ｂに設けられている。
【００３７】
端子押し部５６とこれを支持するアーム部５５とが一体につながった部分には、凹部からなる押し込み工具受け部５８が設けられている。両解除レバー５３、５４は、その端子押し部５６の裏面に夫々前記カバー２６方向に突出する端子当接突起５６ａを一体に有している。この突起５６ａの根元の周囲部分に相当する端子押し部５６の裏面は、端子接離面５６ｃとして用いられている。
【００３８】
又、ボディ２５の幅が狭くなった部分の側壁６１は負荷線挿入面部として用いられている。この側壁６１には、図２に示されるように正極用の一対の負荷線挿入孔６２が開けられているとともに、負極用の一対の負荷線挿入孔６３が開けられている。これら挿入孔６３には水平方向から前記負荷線が挿入される。なお、図２中６４は負荷線挿入孔６２、６３の近傍に個別に設けられた負荷線リリース用のリリース孔である。
【００３９】
図９〜図１１に示されるようにカバー２６の裏面（内面）には、ガイド部としての一対のガイド凸部７１と、端子押さえ部としての一対の端子押さえリブ７３、鎖錠片ストッパとしての端子支えリブ７４、及び端子支えリブ７７等が、夫々前記壁部３５側に向けて一体に設けられている。一対のガイド凸部７１と一対の端子押さえリブ７３一対のストッパ突起７２とは十字状のリブを介して接続されている。端子支えリブ７４はねじ通孔２９を間に置いてガイド凸部７１及び端子押さえリブ７３とは反対側に設けられている。
【００４０】
図６に示すように一対のガイド凸部７１は、前記解除レバー４５、４６の係合突起４８ｂと対向する位置に形成されており、その先端部に斜めのガイド面７１ａを有している。このガイド面７１ａは、解除レバー４５、４６が押し込まれた時、その押し込み方向に移動する係合突起４８ｂを、それに解除レバー４５、４６のアーム部４７とは反対側から係合して支持するために設けられており、それにより、端子当接突起４８ａ及び係合突起４８ｂひいてはこれを有した端子押し部４８が速結端子２２、２３の後述の鎖錠片の傾斜に沿って倒れるように傾くことを防止するようになっている。
【００４１】
図５に示すように一対の端子押さえリブ７３は、前記速結端子２２、２３と対向する位置に形成されていて、これら速結端子２２、２３をカバー２６側から支持するために設けられている。図７に示すように端子支えリブ７４は、前記速結端子２４と対向する位置に形成されていて、この端子２４の後述する鎖錠片９４ｂ、９４ｃの過度の弾性変形を防止するために用いられている。このリブ７４の先端部の幅方向両側の角部は夫々斜面で形成されていて、後述の鎖錠片９４ｂ、９４ｃとの当り面積を大きくしており、それにより、鎖錠片９４ｂ、９４ｃを支持したときに、前記角部を中心にして鎖錠片９４ｂ、９４ｃが曲げられる恐れを少なくしている。又、端子押さえリブ７７は、前記速結端子２４と対向する位置に形成されていて、この端子２４をカバー２６側から支持するために設けられている。
【００４２】
図１２及び図１４に示すように電源線用の前記速結端子２２、２３は、基板部８１と、第１及び第２の電線受け部８２及び８３と、第１鎖錠板８４と、第２鎖錠板８５と、第３電線受け部８６と、一対の負荷線用鎖錠片８７とを有している。第１鎖錠板８４側における基板部８１の端面のうち第１、第２の電線受け部８２、８３側に位置される水平状の端面部分は、レバー支持部８１ａとして用いられるようになっている。
【００４３】
第１及び第２の電線受け部８２及び８３は、基板部８１の長手方向の両辺から基板部８１の一面側に略直角に折り曲げて形成されており、その第２電線受け部８３の先端から第３電線受け部８６が基板部８１と反対側に折り曲げられている。第１鎖錠板８４は前記両辺とは異なる基板部８１の他の両辺のうちの一方の辺から前記一面側に折り曲げられ、第２鎖錠板８５は前記他の両辺のうちの他方の辺から前記一面側に折り曲げられている。
【００４４】
第１鎖錠板８４は、基板部８１に連なった基部８４ａと、この基部８４ａの両側から互いに逆方向に斜め折りされて、その傾斜の先端が第１電線受け部８２又は第２電線受け部８３に近接して対向する鎖錠片８４ｂ、８４ｃとから形成されている。同様に、第２鎖錠板８５も、基板部８１に連なった基部８５ａと、この基部８５ａの両側から互いに逆方向に斜め折りされて、その傾斜の先端が第１電線受け部８２又は第２電線受け部８３に近接して対向する鎖錠片８５ｂ、８５ｃとから形成されている。鎖錠片８４ｂ、８４ｃ及び鎖錠片８５ｂ、８５ｃはいずれも基部８４ａ又は８５ａを支点として弾性変形可能である。鎖錠片８４ｂ、８４ｃは図示しない電源線を主として機械的に抜け止めして第１又は第２の電線受け部８２、８３との間に電源線を挟持し、鎖錠片８５ｂ、８５ｃは前記電源線との電気的接続を図って第１又は第２の電線受け部８２、８３との間に電源線を挟持する。
【００４５】
第３電線受け部８６は、その先端部に第２電線受け部８３とほぼ平行であって前記基板部８１の他面側に向けて折り曲げられた第３鎖錠板８６ａを有している。この第３鎖錠板８６ａには前記一対の鎖錠片８７が斜めに切起こされている。
【００４６】
前記構成の一対の速結端子２２、２３は、前記第１端子収容室３２内に、この内部に設けられた各種のリブによって位置を決められて互いに平行に収容されている。この収容状態において、両速結端子２２、２３は、それらに個別に対応するカバー２６の端子押さえリブ７３によってボディ２５の壁部３５方向に押付けられている。
【００４７】
更に、前記収容状態においては、図５に示すように正極側の速結端子２２の鎖錠片８４ｂの先端部が第１電源線挿入孔４１に対向するとともに、鎖錠片８４ｃの先端部が第１送り電源線挿入孔４２に対向する。かつ、一対の鎖錠片８７の先端部が夫々負荷線用の一対の負荷線挿入孔６２に対向するとともに、その近傍のリリース孔６４に対向する。同様に、図示しないが負極側の速結端子２３の鎖錠片８５ｂの先端部が第２電源線挿入孔４３に対向するとともに、鎖錠片８５ｃの先端部が第２送り電源線挿入孔４４に対向する。かつ、一対の鎖錠片８７の先端部が夫々負荷線用の一対の負荷線挿入孔６３に対向するとともに、その近傍のリリース孔６４に対向する。
【００４８】
又、両速結端子２２、２３の鎖錠片８４ｂ、８５ｂの先端と基部８４ａとの間の中間部分には、図５に示すように電源線用の一方の解除レバー４５の端子押し部４８の端子当接突起４８ａが夫々当接し、同様に両速結端子２２、２３の鎖錠片８４ｃ、８５ｃの先端と基部８４ａとの間の中間部分には、図示しないが電源線用の他方の解除レバー４６の端子押し部４８の端子当接突起４８ａが夫々当接する。又、両解除レバー４５、４６の係合突起４８ｂはカバー２６のガイド凸部７１の先端部に所定の距離を置いて対向する。更に、図４に示すように異極の速結端子２２、２３に跨った端子押し部４８の端子接離面４８ｃに、一方の速結端子２２のレバー支持部８１ａが所定の距離Ｓ１を置いて対向する。
【００４９】
図１３に示すようにアース線用の前記速結端子２４は、基板部９１と、第１及び第２の電線受け部９２及び９３と、一つの鎖錠板９４と、ねじ受け舌片９５とを有している。鎖錠板８４側における基板部９１の端面のうち第１、第２の電線受け部８２、８３側に位置される水平状の端面部分は、レバー支持部９１ａとして用いられるようになっている。
【００５０】
第１及び第２の電線受け部９２及び９３は、基板部９１の長手方向の両辺から基板部９１の一面側に略直角に折り曲げて形成されている。鎖錠板９４は前記両辺とは異なる基板部９１の他の両辺のうちの一方の辺から前記一面側に折り曲げられていて、ねじ受け舌片９５は基板部９１の他の両辺のうちの他方の辺から前記一面側とは反対側に折り曲げられている。このねじ受け舌片９５には前記図示しないねじが螺合されるねじ孔９５ａが開けられている。
【００５１】
鎖錠板９４は、基板部９１に連なった基部９４ａと、この基部９４ａの両側から互いに逆方向に斜め折りされて、その傾斜の先端が第１電線受け部９２又は第２電線受け部９３に近接して対向する鎖錠片９４ｂ、９４ｃとから形成されている。鎖錠片９４ｂ、９４ｃは図示しないアース線の機械的に抜け止めと電気的接続を担って第１又は第２の電線受け部９２、９３との間にアース線を挟持する。
【００５２】
前記構成の速結端子２４は、そのねじ受け舌片９５をボディ２５の開口側に位置させた姿勢で前記第２端子収容室３３内に、この内部に設けられた各種のリブによって位置を決められて収容されている。この収容状態において速結端子２４は、それに対応してカバー２６の裏面に一体に形成した端子押さえリブ７７によってボディ２５の壁部３５方向に押付けられている。
【００５３】
更に、前記収容状態においては、図７に示すように鎖錠片９４ｂの先端部が電線挿入孔５１に対向するとともに、鎖錠片９４ｃの先端部が電線挿入孔５２に対向し、かつ、これら一対の鎖錠片９４ｂ、９４ｃの裏面に所定の間隔を置いて端子支えリブ７４が対向する。又、鎖錠片９４ｂ、９４ｃの先端と基部９４ａとの間の中間部分には、アース用の解除レバー５３、５４の端子押し部５６の端子当接突起５６ａが夫々当接する。又、解除レバー５３、５４の凸部５７には、カバー２６のストッパ突起７２が夫々所定の間隔を置いて対向する。更に、解除レバー５３、５４の端子押し部５６の端子接離面５６ｃに、速結端子２４のレバー支持部９１ａが所定の距離Ｓ２を置いて対向する（図４において一方の解除レバー５３との関係のみを図示して代表する。）。
【００５４】
前記構成の電源端子台１５の第１、第２の電源線挿入孔４１、４２の夫々には天井裏から引込まれたＦケーブル等の電源線の正極側又は負極側の芯線が挿入され、これらの芯線は対応する速結端子２２、２３に個別に接続される。又、送り用の電源線が必要な場合には、この電源線の正極側又は負極側の芯線が第１、第２の送り電源線挿入孔４３、４４に挿入され、これらの芯線は対応する速結端子２２、２３に個別に接続される。
【００５５】
これらの場合、一方の芯線は、速結端子２２の第１鎖錠板８４の鎖錠片８４ｂをその裏側方向に弾性変形させながらこれと第１電線受け部８２との間を通過した後、更に第２鎖錠板８５の鎖錠片８５ｂをその裏側方向に弾性変形させながらこれと第１電線受け部８２との間を通過して、これら鎖錠片８４ｂ、８５ｂと第１電線受け部８２との間に挟着される。同様に、他方の芯線も、速結端子２３の第１鎖錠板８４の鎖錠片８４ｃをその裏側方向に弾性変形させながらこれと第２電線受け部８３との間を通過した後、更に第２鎖錠板８５の鎖錠片８５ｃをその裏側方向に弾性変形させながらこれと第２電線受け部８２との間を通過して、これら鎖錠片８４ｃ、８５ｃと第１電線受け部８２との間に挟着される。
【００５６】
又、電源端子台１５の電線挿入孔５１には供給用のアース線の芯線が挿入されるとともに、アースの送りが必要な場合には、他の電線挿入孔５２に送り用アース線の芯線が挿入されて、これらは速結端子２４に接続される。この場合、供給用のアース線の芯線は、速結端子２４の鎖錠片９４ｂをその裏側方向に弾性変形させながらこれと第１電線受け部９２との間を通過して、これらの間に挟着され、同様に送り用アース線の芯線は、速結端子２４の鎖錠片９４ｃをその裏側方向に弾性変形させながらこれと第２電線受け部９３との間を通過して、これらの間に挟着される。
【００５７】
このアース線の解除においては、その解除に必要なだけ鎖錠片９４ｂ、９４ｃが弾性変形された直後に、これら鎖錠片９４ｂ及び９４ｃの裏面に対向してカバー２６の裏面に突設されている鎖錠片ストッパとしての端子支えリブ７４に、鎖錠片９４ｂ、９４ｃが当接するから、それ以上、アース線解除レバー５３、５４が押し込まれることを防止できる。そのため、アース線解除レバー５３、５４の過度の押し込を防止しつつアース線の解除ができるとともに、アース線用速結端子２４の鎖錠片９４ｂ、９４ｃがへたることを防止できる。
【００５８】
ところで、以上のように電源端子台１５に速結接続された電線を必要により外すには、その対象が供給用の電源線である場合には、解除レバー４５をねじ回し等の工具で押し込みながら、この電源線を引き抜けばよく、同様に送り用電源線である場合には、解除レバー４６をねじ回し等の工具で押し込みながら、この電源線を引き抜けばよい。又、外す線が供給用のアース線である場合には、解除レバー５３をねじ回し等の工具で押し込みながら、このアース線を引き抜けばよく、同様に送り用アース線である場合には、解除レバー５４をねじ回し等の工具で押し込みながら、このアース線を引き抜けばよい
このように電源端子台１５に接続された電線の前記接続を解除するには、供給側の電源線についてはねじ回し等リリース工具の先が尖った先端部を解除レバー４５の端子押し部４８に当てて押し込みながら前記供給側の電源線を引張ればよく、同様に送り側の電源線についても前記工具の先端部を解除レバー４６の端子押し部４８に当てて押し込みながら前記送り側の電源線を引張ればよい。又、供給側のアース線については前記工具の先端部を解除レバー５３の端子押し部５６に当てて押し込みながら前記供給側のアース線を引張ればよく、同様に送り側のアース線についても前記工具の先端部を解除レバー５４の端子押し部５６に当てて押し込みながら前記送り側のアース線を引張ればよい。
【００５９】
前記押し込み操作で電源用の解除レバー４５がそのアーム部４７の根元を支点に弾性変形しながら押し込まれることにより、端子押し部４８の裏面に突出する一対の端子当接突起４８ａが、電源線用の速結端子２２、２３の斜めの鎖錠片８４ｂを個別に押してカバー２６側に弾性変形させながら、この鎖錠片８４ｂと第１電線受け部８２との間を開くので、供給側電源線を引抜くことができる。同様に、前記押し込み操作で電源用の他方の解除レバー４６がそのアーム部４７の根元を支点に弾性変形しながら押し込まれることにより、端子押し部４８の裏面に突出する一対の端子当接突起４８ａが、電源線用の速結端子２２、２３の斜めの鎖錠片８４ｃを個別に押して第２鎖錠板８５側に弾性変形させながら、この鎖錠片８４ｃと第２電線受け部８３との間を開くので、送り側電源線を引抜くことができる。
【００６０】
又、前記押し込み操作でアース用の解除レバー５３がそのアーム部５５の根元を支点に弾性変形しながら押し込まれることにより、端子押し部５６の裏面に突出する単一の端子当接突起５６ａが、アース線用の速結端子２４の斜めの鎖錠片９４ｂを押してカバー２６側に弾性変形させながら、この鎖錠片９４ｂと第１電線受け部９２との間を開くので、供給側アース線を引抜くことができる。同様に、前記押し込み操作でアース用の解除レバー５４がそのアーム部５５の根元を支点に弾性変形しながら押し込まれることにより、端子押し部５６の裏面に突出する単一の端子当接突起５６ａが、アース線用の速結端子２４の斜めの鎖錠片８５ｃを押してカバー２６側に弾性変形させながら、この鎖錠片９４ｃと第２電線受け部９３との間を開くので、送り側アース線を引抜くことができる。
【００６１】
前記のように接続された電線を解除するにあたって、鎖錠片８４ｂ、８４ｃ、８５ｂ、８５ｃの長手方向中間部を解除レバー４５又は４６或は５３若しくは５４の端子押し部４８又は５６で押すから、言い換えれば、鎖錠片８４ｂ、８４ｃ、８５ｂ、８５ｃをその先端部よりも基部８４ａ又は８５ａ若しくは９４ａ側で押すから、従来のように鎖錠片の先端部を押して電線解除をする場合よりも、電線解除を行うのに必要とされる解除レバー４５、４６、５３、５４の解除ストロークを小さくできる。したがって、解除レバー４５、４６、５３、５４が過度に撓むことがなくなり、その変形・破損を防止できる。
【００６２】
ところで、正負両極の速結端子２２、２３の隣接する鎖錠片８４ｂ、８５ｂ又は８４ｃ、８５ｃに跨ってこれらに端子当接突起４８ａを当接している解除レバー４５、４６の端子押し部４８は、電源線を解除する際に速結端子２２、２３の鎖錠片８４ｂ、８５ｂ又は８４ｃ、８５ｃの傾斜に沿って倣うように前記端子当接突起４８ａ及びこれを有した端子押し部４８が変形しようとする。しかし、端子押し部４８の裏面には速結端子２２、２３間に位置してカバー２６方向に突出する係合突起４８ｂが設けられているとともに、この突起４８ｂに対向してカバー２６の裏面にはガイド凸部７１が突設されているので、前記変形を防止できる。
【００６３】
すなわち、既述のように端子押し部４８が押し込まれた際に、それが或る程度進行すると、係合突起４８ｂがガイド凸部７１の傾斜したガイド面７１ａに接触する。このガイド面７１ａは、アーム部４７とは反対側から係合突起４８ｂに係合して、この突起４８ｂを前記変形しようとする方向とは逆方向にガイドしつつ支持する。
【００６４】
こうしたガイド凸部７１でのストッパ作用により、端子押し部４８がアーム部４７の先端部を支点に変形することを防止できる。したがって、変形による解除レバー４５、４６の押し込み操作力の損失がなくなり、解除レバー４５、４６の押し込み操作力のばらつきを少なくできる。それにより、前記押し込み操作力を的確に鎖錠片８４ｂ、８５ｂ又は８４ｃ、８５ｃに及ぼして、必要以上に解除レバー４５、４６を押し込まなくても確実に電源線を解除させることができる。又、必要以上に解除レバー４５、４６を押し込まなくてもよいので、端子押し部４８の過度の変形に伴う破損も防止できる。
【００６５】
又、前記のように解除レバー４５、４６を押し込んで電源線用速結端子２２、２３に接続された電源線を既述のように引き外す場合に、電源線を引き外すのに十分な程度まで解除レバー４５、４６が押し込まれると、その直後に前記距離Ｓ１が消失して、解除レバー４５、４６の端子押し部４８の端子接離面４８ｃが一方の速結端子２２の基板部８１のレバー支持部８１ａに当って、それ以上の押し込みが速結端子２２によって妨げられる。
【００６６】
すなわち、前記距離Ｓ１により解除レバー４５、４６の押し込みストロークが規定されて、過度に解除レバー４５、４６が押し込まれることがない。したがって、電源線解除時の解除レバー４５、４６の押し込み操作力のばらつきを少なくできる。それに伴い、前記押し込み操作力を的確に鎖錠片８４ｂ、８５ｂ又は８４ｃ、８５ｃに及ぼして、必要以上に解除レバー４５、４６を押し込まなくても確実に電源線を解除できるとともに、必要以上に解除レバー４５、４６が押し込まれることがないので、端子押し部４８の過度の変形に伴う破損も防止できる。
【００６７】
同様に、前記のように解除レバー５３、５４を押し込んでアース線用速結端子２４に接続されたアース線を既述のように引き外す場合に、アース線を引き外すのに十分な程度まで解除レバー５３、５４が押し込まれると、その直後に前記距離Ｓ２が消失して、解除レバー５３、５４の端子押し部５６の端子接離面５６ｃが速結端子２４の基板部９１のレバー支持部９１ａに当って、それ以上の押し込みが速結端子２４によって妨げられる。
【００６８】
すなわち、前記距離Ｓ２により解除レバー５３、５４の押し込みストロークが規定されて、過度に解除レバー５３、５４が押し込まれることがない。したがって、アース線解除時の解除レバー５３、５４の押し込み操作力のばらつきを少なくできる。それに伴い、前記押し込み操作力を的確に鎖錠片９４ｂ、９４ｃに及ぼして、必要以上に解除レバー５３、５４を押し込まなくても確実にアース線を解除できるとともに、必要以上に解除レバー５３、５４が押し込まれることがないので、その過度の変形に伴う破損も防止できる。
【００６９】
【発明の効果】
本発明は、以上説明したような形態で実施され、以下に記載されるような効果を奏する。
【００７０】
請求項１に記載の発明によれば、接続された電源線を解除するためにボディに一体に形成された解除レバーの端子押し部が、電源線解除において、正負両極の速結端子の鎖錠片の傾斜に沿って倣うように変形することを、端子押し部の係合突起とカバーのガイド部との係合により防止するから、前記変形による電源線解除レバーの操作力の損失がなくなり、電源線解除レバーの押し込み操作力のばらつきを少なくできる。それにより、前記押し込み操作力を的確に鎖錠片に及ぼして、過度に電源線解除レバーを押し込まなくても確実に電線を解除し得る電源端子台を提供できる。
【００７１】
請求項２に記載の発明によれば、筐体に内蔵された速結端子をストッパとして利用することにより、電源線用及びアース線用の解除レバーの押し込みストロークを、そのレバーの端子押し部の鎖錠片への当接箇所と端子接離面との間の高さ寸法に規定できるので、電線解除のためにボディに一体に形成された各解除レバーの押し込み操作力のばらつきを少なくできる。それにより、前記押し込み操作力を的確に鎖錠片に及ぼして、過度に各解除レバーを押し込まなくても確実に電線を解除し得る電源端子台を提供できる。
【００７２】
請求項３の発明によれば、アース線解除をする場合に、カバーに設けた鎖錠片ストッパによって過度のアース線解除レバーの押し込みを防止しつつアース線の解除ができるとともに、アース線用速結端子の鎖錠片がへたらない電源端子台を提供できる。
【００７３】
請求項４の発明によれば、ボディと一体に形成された解除レバーの押し込み操作力のばらつきを少なくできる電源端子台、又は過度のアース線解除レバーの押し込みを防止できる電源端子台を備えるので、高品質な照明器具を提供できる。
【図面の簡単な説明】
【図１】（Ａ）は本発明の一実施形態に係る電源端子台を備えた蛍光灯照明器具を一部切欠いて示す斜視図。
（Ｂ）は図１（Ａ）の照明器具の断面図。
【図２】本発明の一実施形態に係る電源端子台を示す斜視図。
【図３】図２の電源端子台を示す正面図。
【図４】図３中Ｅ−Ｅ線に沿って示す電源端子台の断面図。
【図５】図３中Ａ−Ａ線に沿って示す電源端子台の断面図。
【図６】図３中Ｂ−Ｂ線に沿って示す電源端子台の断面図。
【図７】図３中Ｃ−Ｃ線に沿って示す電源端子台の断面図。
【図８】図２の電源端子台が備えるボディの裏面図。
【図９】図２の電源端子台が備えるカバーを示す斜視図。
【図１０】図２の電源端子台が備えるカバーの裏面図。
【図１１】図１０中Ｈ−Ｈ線に沿って示すカバーの断面図。
【図１２】図２の電源端子台が備える電源線用の速結端子を示す斜視図。
【図１３】図２の電源端子台が備えるアース線用の速結端子を示す斜視図。
【図１４】（Ａ）は図１２の速結端子の平面図。
（Ｂ）は図１２の速結端子の側面図。
（Ｃ）は図１２の速結端子の正面図。
（Ｄ）は図１２の速結端子の背面図。
（Ｅ）は図１２の速結端子の下面図。
【符号の説明】
１１…照明器具、１２…シャーシ、１３…ランプソケット、１４…蛍光ランプ、１５…電源端子台、１６…電源線引込み孔、２１…筐体、２２…速結端子（電源線正極用）、２３…速結端子（電源線負極用）、２４…速結端子（アース用）、２５…ボディ、２６…カバー、３５…ボディの壁部、４１…電源供給側電線挿入孔（第１電源線挿入孔）、４２…電源送り側電線挿入孔（第１送り電源線挿入孔）、４３…電源供給側電線挿入孔（第２電源線挿入孔）、４４…電源送り側電線挿入孔（第２送り電源線挿入孔）、４５、４６…電源線解除レバー、４７…アーム部、４８…電源線解除レバーの端子押し部、４８ａ…端子当接突起、４８ｂ…係合突起、４８ｃ…端子接離面、５１…アース供給用電線挿入孔、５２…アース送り用電線挿入孔、５３、５４…アース線解除レバー、５５…アーム部、５６…アース線解除レバーの端子押し部、５６ａ…端子当接突起、５６ｃ…端子接離面、７１…ガイド凸部（ガイド部）、７１ａ…ガイド面、８１…基板部、８１ａ…レバー支持部、８２…第１電線受け部、８３…第２電線受け部、８４ａ、８５ａ…基部、８４ｂ、８５ｂ…鎖錠片、８４ｃ、８５ｃ…鎖錠片、９１…基板部、９１ａ…レバー支持部、９２…第１電線受け部、９３…第２電線受け部、９４ａ…基部、９４ｂ…鎖錠片、９４ｃ…鎖錠片
【図１】
0004062852.tif 000002
【図２】
0004062852.tif 000003
【図３】
0004062852.tif 000004
【図４】
0004062852.tif 000005
【図５】
0004062852.tif 000006
【図６】
0004062852.tif 000007
【図７】
0004062852.tif 000008
【図８】
0004062852.tif 000009
【図９】
0004062852.tif 000010
【図１０】
0004062852.tif 000011
【図１１】
0004062852.tif 000012
【図１２】
0004062852.tif 000013
【図１３】
0004062852.tif 000014
【図１４】
0004062852.tif 000015